(57)【要約】      （修正有）【課題】風邪などによる体温の上昇、いわゆる発熱を下げるときに、着用者の腋の下の皮膚の下にある太い（大きい）血管に冷却材を当てて体温を下げるとき使う冷却具で、身体に装着して、目立つことなく使える冷却具を提供する。【解決手段】腋の下に冷却材を当てて体温を下げる発熱時の体温の冷却具であり、吸水性を有する基材１と、冷却材の保持部２ａからなり、基材１は袈裟懸けにかけて保持するに必要な長さからなり、保持部２ａはカバー状に形成され冷却材を基材に保持する手段を備える。【選択図】図１
0003201289.tif 000002
【実用新案登録請求の範囲】
【請求項１】
腋の下に冷却材（２ｂ）を当てて体温を下げる発熱時の体温の冷却具で、吸水性を有する基材（１）と、前記冷却材（２ｂ）の保持部（２ａ）からなり、前記基材（１）は袈裟懸けにかけて保持するに必要な長さからなり、前記保持部（２ａ）は前記冷却材を前記基材（１）に保持する手段を備えた冷却具。
【考案の詳細な説明】
【技術分野】
【０００１】  本考案は風邪などによって体温が上昇して、いわゆる発熱を下げるときに、着用者の腋の下の皮膚の下にある太い（大きい）血管に冷却材を当てて体温を下げるとき使う冷却具で、身体に装着して、目立つことなく使えるように工夫した冷却具に関するものである。
【背景技術】
【０００２】  従来、風邪などで発熱した場合、解熱剤を服用したり、氷枕や氷のうなどで頭部を冷やしながら布団などに横たわって熱を下げていた。
また、最近は、額に貼って熱を下げるタイプの解熱シートも使われている。
【考案の概要】
【考案が解決しようとする課題】
【０００３】（イ）上記に述べたように、従来、熱を下げる方法は、服薬と額、または、頭、とくに、    後頭部を冷やすことによって、上昇した体温を下げていた。
（ロ）従来の方法では、小児や子供は、じっとして、寝ていないので、熱を下げるのが大    変だった。
（ハ）従来、熱を下げる方法では、横にならないと、体温を下げることができなった。
（ニ）忙しい人は、風邪でも休息をとれず、治るまで時間がかかっていた。
【課題を解決するための手段】
【０００４】  腋の下に冷却材（２ｂ）を当てて体温を下げる冷却具で、吸水性を有する基材（１）と、前記冷却材（２ｂ）の保持部（２ａ）からなり、前記基材（１）を保持するために必要な長さからなり、前記保持部（２ａ）は前記冷却材を前記基材（１）に保持する手段を備えた冷却具。
【考案の効果】
【０００５】（イ）従来の額や頭、とくに後頭部を冷やすことによって、熱を下げる方法と比べて、直    接体内の太い血管やリンパを冷やすことで、額や頭、また、後頭部と異なり、直接的    な冷却となるため下熱効果がある。
（ロ）幼児や小児はじっとして寝ていなくとも、常に、本考案の冷却材を腋の下に保持し    続けることができる。
（ハ）静かに横たわる必要もない。
（ニ）多忙の人でも、本発明の冷却具を着用すれば、横たわることなく、休息をとらなく    ても熱を下げることができる。
（ホ）洋服や上着などを着用してカバーすることにより、目立つことなく、熱を下げるこ    とができる。
（ヘ）風邪でも休息をとることのできない状況下で、横になることなく、目立つことなく    、熱を下げることができる。
（ト）熱射病、日射病の予防や解熱にも対応できる。
【図面の簡単な説明】
【０００６】
【図１】  本発明の一部を切り欠いた状態を示した斜視図である。
【図２】  本発明の実施例１の冷却材を示した斜視図である。
【図３】  本発明の冷却具を曲げた状態を示した側面図である。
【図４】  本発明の使用状態を示した説明図である。
【考案を実施するための形態】
【０００７】  吸水性の基材（１）の略中央付近に、装入部（３ａ）、または、装入部（３ｂ）、または、装入部（３ｃ）を設ける。
この装入部（３ａ）、または、装入部（３ｂ）、または、装入部（３ｃ）を覆うようにカバー状の保持部（２ａ）を設ける。
さらに、基材（１）の端部（５）の少なくとも一方の面に保持部材（６）を設ける。
他の端部（４）の少なくとも一方の面に保持部材（７）を設ける。
このときの、基材（１）の長さは、基材（１）を袈裟懸け（一方の肩から他方の腋へ斜めに物をかけること）にかけて保持するに必要な長さで、カバー状の保持部（２ａ）は冷却材（２ｂ）をカバー状の保持部（２ａ）に装入し、保持した状態に於いて、柔軟に曲がる程度のゆるさに形成することが望ましい。
また、基材（１）の端部（５）と基材（１）の端部（４）を連結し保持する手段としては、面ファスナー、または、ボタン、または、バックル、または、スナップ、または、鍵ホック、または、サスペンダー等に用いる握持具、または、端部（５）と保持部材（６）結んでも良い。
基材（１）を安定的に維持することが望ましい。
さらに、保持部（２ａ）に装入し、保持する冷却材（２ｂ）は解熱に必要な冷却力が必要であるため、保冷剤、または、水などを氷結させて用いても良く、複数の曲折部（２ｃ）を介して、複数の冷却部（２ｄ）を形成することも可能である。
本考案は、以上のような構成である。
本考案の冷却具を用いるには、風邪など体温が上昇（発熱）した場合、予め冷蔵庫等を用いて冷却しておいた冷却材（２ｂ）を取り出し、保持部（２ａ）の内部に装入する。
冷却材（２ｂ）が着用者の腋の下の皮膚下にある太い血管やリンパ、または、その付近に接するように基材（１）の端部（５）と端部（４）を保持部材（６）、保持部材（７）を介して連結し、基材（１）で、つなぎ止める（図４）。
このとき、保持部材（６）、保持部材（７）の長さ（距離）を充分に設けておけば、長さの調整が容易にできる。
さらに、基材（１）を保持した状態において、腕を動かしても邪魔にならない。
このため、寝ていることが苦手な小児等も体を起こした状態で、遊びながらでも（図４）熱を下げることが可能である。
また、忙しい現代の人々も、仕事をしながらでも、熱を下げることができる。
直接、冷却具で、体内の太い血管やリンパを冷やすことで、額や頭、また、後頭部と異なり、腋の下、首部、鼠蹊部（そけいぶ）の太い血管やリンパを直接的な冷却となるため、下熱効果は抜群である。
さらに、小児や子供はじっとして寝ていなくとも、つねに冷却材（２ｂ）を腋の下に保持し続けることができる。
だから、静かに横たわる必要もなく、また、忙しくて、休みが取れない社会人でも、本考案の冷却具を着用すれば、横たわることなく、休息をとらなくとも、熱を下げることができる。
また、この場合、洋服や上着等を着用してカバーすることにより、目立つことなく、熱を下げることができるなど、風邪でも休息をとることのできない状況の中で、目立つことなく、熱を下げる冷却具を提供することができる。
医療現場で、または、各家庭で、熱を下げる手段として極めて有用である。
使う場所は、腋の下だけでなく、首、左右の大腿部の付け根の鼠蹊部（そけいぶ）などで使うと効果がある。
【符号の説明】
【０００８】１  基材
２ａ  保持部
２ｂ  冷却材
２ｃ  曲折部
２ｄ  冷却部
３ａ  装入部
３ｂ  装入部
３ｃ  装入部
４  端部
５  端部
６  保持部材
７  保持部材
８  中空部
【図１】
0003201289.tif 000003
【図２】
0003201289.tif 000004
【図３】
0003201289.tif 000005
【図４】
0003201289.tif 000006